(57)【要約】【課題】アイキャッチ性に優れ商品訴求力が高く、陳列の変更にすばやく対応でき、コストパフォーマンスに優れる商品広告表示装置を提供する。【解決手段】本発明の陳列棚用商品広告表示装置１は、商品台１１と表示部１２からなる表示ケース本体と、陳列している商品の情報を示す第一の表示部２１と、同じく陳列している商品の情報を示し且つ回動機能を有する第二の表示部２３と、前記第二の表示部２３を回動させる駆動部と、前記駆動部に電力を供給する太陽電池パネル３１を用いた電源部とから構成されている。【選択図】図３
2006158761.tif 000002
【特許請求の範囲】
【請求項１】
陳列している商品に関する広告情報を表示する陳列棚用商品広告表示装置であって、この陳列棚用商品広告表示装置は、陳列棚に載置される表示ケース本体と、前記表示ケース本体に設けた陳列している商品の情報を示す第一の表示部と、同じく陳列している商品の情報を示し且つ回動機能を有する第二の表示部と、前記第二の表示部を回動させる駆動部と、前記駆動部に電力を供給する太陽電池パネルを用いた電源部とから構成されていることを特徴とする陳列棚用商品広告表示装置。
【請求項２】
第一の表示部および第二の表示部は、表示ケース本体とは別体であって、表示ケース本体内に着脱自在に構成されている請求項１に記載の陳列棚用商品広告表示装置。
【発明の詳細な説明】
【技術分野】
【０００１】
本発明は、ドラッグストア、スーパーマーケット、コンビニエンスストア、ホームセンター等の商品売場において、商品陳列棚に陳列している商品の広告宣伝情報を表示する陳列棚用商品広告表示装置に関する。
【背景技術】
【０００２】
従来より、ドラッグストア、スーパーマーケット、コンビニエンスストア、ホームセンター等の店舗では、店頭や商品陳列棚などに商品に関する情報を提供する商品広告表示具が各種設置されている。この商品広告表示具には、購入者に商品の認知度を上げ、購買意欲を促進させる訴求効果の高いものが求められている。
【０００３】
この要求を満足させるために、これまで種々の提案がなされている。例えば、太陽電池の作用を利用し回動機能を有した注意喚起用媒体（特許文献１参照）、商品陳列棚などに着脱自在に取り付け可能な情報表示具（特許文献２参照）、商品陳列棚に商品台とともにＰＤＡ（パーソナル・デジタル・アシスタントの略）とスピーカーを有した商品陳列用什器（特許文献３参照）がある。
【０００４】
しかしながら、上述した従来技術（特許文献１）の注意喚起用媒体は、太陽電池の出力を用いた表示板の回動運動が、購入者の視線を無意識に引き付けアイキャッチ性に優れるが、店舗内に新たな設置場所を確保する必要がある。
【０００５】
また、他の従来技術（特許文献２）の情報表示具は、陳列棚手前面に商品に関する情報を着脱自在に表示できるが、購入者が商品を陳列棚から取り出す際に前記情報表示具が邪魔になったり、商品と接触して前記情報表示具が地面に落下してしまうなどの問題がある。
【０００６】
また、他の従来技術（特許文献３）の商品陳列用什器は、既存の陳列棚に組み込むことができ、購入者に対し映像と音声による高い訴求力を持ち合わせるが、ＰＤＡやスピーカーなどを搭載していることからたいへん高価であり、また店舗内で電源を確保したり配線を敷設する必要がある。
【特許文献１】実用新案登録第３０７８２２１号
【特許文献２】特開２００２−０８５２１４号公報
【特許文献３】特願２００３−４３２４６０号
【発明の開示】
【発明が解決しようとする課題】
【０００７】
本発明者は、これらの実状に鑑みて鋭意検討し、ドラッグストア、スーパーマーケット、コンビニエンスストア、ホームセンター等の商品売場において、商品陳列棚に陳列している商品の広告宣伝情報を表示する装置開発にあたり以下の５点の課題を解決し得ることを目指した。
【０００８】
すなわち、第１の課題は、商品売場内を移動したり商品を選定している購入者の視線を、無意識に引き付けるアイキャッチ性に優れ訴求力が高いこと。第２の課題は、商品売場において既存設備の改造や工事をすることなく、容易に設置可能なこと。第３の課題は、商品売場において新たな設置場所の確保及び電源の確保の必要がないこと。第４の課題は、表示装置が安価で製作できること。第５の課題は、商品の短ライフサイクル化に合わせ、リユースが可能であることである。
【課題を解決するための手段】
【０００９】
上記課題を解決するため、本発明の陳列棚用商品広告表示装置は、陳列している商品に関する広告情報を表示する陳列棚用商品広告表示装置であって、この陳列棚用商品広告表示装置は、陳列棚に載置される表示ケース本体と、前記表示ケース本体に設けた陳列している商品の情報を示す第一の表示部と、同じく陳列している商品の情報を示し且つ回動機能を有する第二の表示部と、前記第二の表示部を回動させる駆動部と、前記駆動部に電力を供給する太陽電池パネルを用いた電源部とから構成されていることを特徴としている。
【００１０】
更に、第一の表示部および第二の表示部は、表示ケース本体とは別体であって表示ケース本体内に着脱自在に構成されていることを特徴としている。
【発明の効果】
【００１１】
本発明の陳列棚用商品広告表示装置は次のような効果を奏する。
【００１２】
第１に、この陳列棚用商品広告表示装置を用いれば、売場内移動中の購入者や商品を選定している購入者の視覚に、常に回転又は揺動している第二の表示部が無意識に飛び込んで来るので、その商品広告表示装置に誘導され、引き続き第一の表示部及び後方の商品パッケージを注視することとなる。したがってこれらが渾然一体となり、購入者の視覚に認識されるので、アイキャッチ性に優れ商品訴求力が高い。
【００１３】
第２に、この陳列棚用商品広告表示装置は、コンパクト且つ軽量で陳列棚に置くだけで設置できるので、商品売場において既存設備の改造や工事が必要なく、容易に設置できる。
【００１４】
第３に、この陳列棚用商品広告表示装置は、既存の陳列棚に設置する構造であり、また第二の表示部の駆動電源には太陽電池パネルを利用しているので、商品売場内に新たな設置場所の確保、及び電源の確保の必要がない。
【００１５】
第４に、この陳列棚用商品広告表示装置は、例えばアクリル板、太陽電池パネル、駆動用モーター、表示用紙類で構成されており、液晶画面や複雑な電子回路、スピーカーを具備していないので、安価で製作でき、また電気代などのランニングコストも不要である。
【００１６】
第５に、この陳列棚用商品広告表示装置は、第一の表示部及び第二の表示部が着脱・交換可能なので、商品販売戦略に合わせ、異なる商品シリーズへのリユースが可能となる。
【発明を実施するための最良の形態】
【００１７】
以下、本発明の実施形態の一例を図面によって説明する。
図１は陳列棚用商品広告表示装置の一例を表示ケース本体、第一の表示部、第二の表示部、駆動部及び電源部とが離間した状態で示す斜視図であり、図２は陳列棚用商品広告表示装置の長さ方向に直行する面での断面図であり、図３は陳列棚用商品広告表示装置を組み立てた状態の斜視図であり、図４は陳列棚用商品広告表示装置の一例に商品を陳列した状態を示す斜視図である。
【００１８】
本発明の陳列棚用商品広告表示装置１は、陳列棚に載置される表示ケース本体と、前記表示ケース本体に設けた陳列している商品の情報を示す第一の表示部と、同じく陳列している商品の情報を示し且つ回動機能を有する第二の表示部と、前記第二の表示部を回動させる駆動部と、前記駆動部に電力を供給する太陽電池パネルを用いた電源部とから構成されている。
【００１９】
以下詳細に説明する。図１に示すように表示ケース本体１０は、商品台１１と表示部１２と第一の表示部カバー１３から構成されている一体ものであり、通常はアクリル等の透明なプラスチック材を用いるが、特にこれに限定されるものではない。なお表示部１２の面には後述する駆動軸４２が貫通できるような孔１４が開けてある。
【００２０】
陳列している商品の情報を示す第一の表示部は、第一の表示プレート２１で構成されており、この第一の表示プレート２１には購入者へ訴求したい情報を表示し、図２に示すように表示ケース本体の表示部１２と表示部カバー１３の間の隙間に差し込む。第一の表示プレート２１は通常プラスチックや厚紙類を用いるが、特にこれに限定されない。また表示プレート２１には後述する駆動軸４２が貫通できるような孔２２が開けてある。尚、第一の表示プレート２１を使用せず、ケース本体の表示部１２に直接表示してもよい。
【００２１】
陳列している商品の情報を示し且つ回動機能を有する第二の表示部は、第二の表示プレート２３で構成されており、この第二の表示プレートには購入者の目を引くような情報を表示し、後述する駆動用モーター４１から出ている駆動軸４２に係合する。このときの係合方法は交換が容易になるようコネクタなどを使用するのが望ましい。この第二の表示プレート２３の形状は円形でもよいし、その他の形状でも構わない。また通常はプラスチックや厚紙類を用いるが、特にこれに限定されない。
【００２２】
前記第二の表示部を回動させる駆動部は駆動用モーター４１と駆動軸４２で構成されており、駆動用モーター４１は図２に示すように表示ケース本体の第一の表示部裏側に固定され、駆動用モーター４１から出る駆動軸４２は、表示ケース本体の表示部１２の孔１４と第一の表示プレート２１の孔２２を貫通して、第二の表示プレート２３と係合される。なお用いる駆動用モーターは回転タイプでもよいし、振り子運動をする揺動タイプでもよく、適宜選択すればよい。
【００２３】
駆動用モーターに電力を供給する電源部は、太陽電池パネル３１と配線ケーブル３２で構成されており、太陽電池パネル３１は図２に示すように表示ケース本体上部に載せ、前記太陽電池パネル３１から延びる配線ケーブル３２は、駆動用モーター４１に接続されている。なお、本発明装置周辺の照明環境に応じて太陽電池パネル３１の載置位置を適宜変更できるよう、配線ケーブル３２の長さには適度な余裕を持たせておくのが望ましい。
【００２４】
次に作動状態について説明する。図４は、本発明の陳列棚用商品広告表示装置１に陳列用商品５１を載せた一実施例である。陳列棚用商品広告表示装置１を商品売場に設置する場合には、まず陳列用商品広告表示装置１を設置しようとしている陳列棚に並べてある商品を一旦取り出した後、陳列用商品広告表示装置１を棚の中にはめ込む。そして陳列用商品広告表示装置１で訴求したい陳列用商品５１を商品台１１に並べ、第一の表示プレート２１と第二の表示プレート２３を表示ケース本体にセットし、最後に太陽電池パネル３１を売場内の照明を受光できる最適な位置にセットする。
【００２５】
上述のように太陽パネル３１が売場内の照明を受光すると、前記太陽電池パネル３１が発電し、発電した電力が配線ケーブル３２を経由して駆動用モーター４１に供給される。そして前記駆動用モーター４１が駆動を開始し、その駆動力が駆動軸４２を経由して第二の表示プレート２３に伝わり、前記第二の表示プレート２３が回動を始める。
【００２６】
このように本実施例によれば、売場内に一定の照度が確保されていれば、第二の表示プレートが途切れることなく回動運動を続けるため、売場内の購入者の視覚に第二の表示プレートが無意識に飛び込んで来て、その商品広告表示装置１に誘導され、購買意欲につながることとなる。
【００２７】
またこの商品広告表示装置１は、前述したように既設の陳列棚に置くだけで設置できるので、商品売場において既存設備の改造や工事が必要なく、その上新たな設置場所を準備・確保する必要がない。
【００２８】
またこの商品広告表示装置１は、第二の表示プレート２３の駆動電源に太陽電池パネルを利用しているので、売場内での電源確保の必要がない。
【００２９】
その他、この商品広告表示装置１は、簡易な構成で且つ安価な材料で製作でき、また電気代も不要なため、コストメリットが大きい。また第一の表示プレート２１及び第二の表示プレート２３が着脱・交換が可能なので、商品販売戦略に合わせ、定期的に異なる商品シリーズにリユースも可能となる。
【図面の簡単な説明】
【００３０】
【図１】陳列棚用商品広告表示装置の一例を表示ケース本体、第一の表示部、第二の表示部、駆動部及び電源部とが離間した状態で示す斜視図である。
【図２】陳列棚用商品広告表示装置の長さ方向に直行する面での断面図である。
【図３】陳列棚用商品広告表示装置を組み立てた状態の一例を示す斜視図である。
【図４】陳列棚用商品広告表示装置の一例に商品を陳列した状態を示す斜視図である。
【符号の説明】
【００３１】
１    陳列棚用商品広告表示用装置
１０  表示ケース本体
１１  商品台
１２  表示部
１３  第一の表示部カバー
１４  第一の表示部の孔
２１  第一の表示プレート
２２  第一の表示プレートの孔
２３  第二の表示プレート
３１  太陽電池パネル
３２  配線ケーブル
４１  駆動用モーター
４２  駆動軸
５１  陳列用商品
【図１】
2006158761.tif 000003
【図２】
2006158761.tif 000004
【図３】
2006158761.tif 000005
【図４】
2006158761.tif 000006